(57)【要約】【課題】地図上における効果的な広告配信を提供する。【解決手段】地図を表示する地図表示システムであって、ユーザの現在地から所定の範囲内に存在する所定の施設の広告情報を取得する取得手段と、前記取得手段により取得された広告情報に基づく広告を配信するための表示部品を、前記現在地を含む地図上に表示する表示手段と、前記表示手段により表示された表示部品がユーザにより選択されると、該ユーザに所定の得点を付与する付与手段と、を有する。【選択図】図２
2017173493.tif 000002
【特許請求の範囲】
【請求項１】
地図を表示する地図表示システムであって、
ユーザの現在地から所定の範囲内に存在する所定の施設の広告情報を取得する取得手段と、
前記取得手段により取得された広告情報に基づく広告を配信するための表示部品を、前記現在地を含む地図上に表示する表示手段と、
前記表示手段により表示された表示部品がユーザにより選択されると、該ユーザに所定の得点を付与する付与手段と、
を有する地図表示システム。
【請求項２】
前記広告情報には、前記所定の施設の位置を示す施設位置が含まれ、
前記取得手段は、
前記広告情報のうち、前記施設位置と前記現在地との距離が所定の距離以下である広告情報を取得する、請求項１に記載の地図表示システム。
【請求項３】
前記取得手段は、
前記現在地から所定の範囲内に存在する所定の施設の広告情報であって、前記ユーザの属性に応じた広告情報を取得する、請求項１又は２に記載の地図表示システム。
【請求項４】
前記ユーザの属性には、該ユーザの性別、年齢、及び職業の少なくとも１つ以上が含まれる、請求項３に記載の地図表示システム。
【請求項５】
前記付与手段は、
前記表示手段により表示された表示部品がユーザにより選択されると、該表示部品の選択により配信される前記広告に応じた得点を前記ユーザに付与する、請求項１乃至４の何れか一項に記載の地図表示システム。
【請求項６】
前記表示手段は、
前記地図上に表示された前記表示部品がユーザにより選択されると、該選択された表示部品に対応する広告を前記地図上に表示する、請求項１乃至５の何れか一項に記載の地図表示システム。
【請求項７】
地図を表示する地図表示システムに用いられる地図表示方法であって、
ユーザの現在地から所定の範囲内に存在する所定の施設の広告情報を取得する取得手順と、
前記取得手順により取得された広告情報に基づく広告を配信するための表示部品を、前記現在地を含む地図上に表示する表示手順と、
前記表示手順により表示された表示部品がユーザにより選択されると、該ユーザに所定の得点を付与する付与手順と、
を有する地図表示方法。
【請求項８】
コンピュータを、
ユーザの現在地から所定の範囲内に存在する所定の施設の広告情報を取得する取得手段、
前記取得手段により取得された広告情報に基づく広告を配信するための表示部品を、前記現在地を含む地図上に表示する表示手段、
前記表示手段により表示された表示部品がユーザにより選択されると、該ユーザに所定の得点を付与する付与手段、
として機能させるためのプログラム。
【発明の詳細な説明】
【技術分野】
【０００１】
本発明は、地図表示システム、地図表示方法、及びプログラムに関する。
【背景技術】
【０００２】
携帯電話やスマートフォン、カーナビゲーション等の端末装置において、当該端末装置のユーザの現在地付近の地図を表示する技術が従来から知られている。
【０００３】
また、端末装置に表示された地図上に、各種施設の広告を表示する技術が従来から知られている（例えば特許文献１参照）。
【先行技術文献】
【特許文献】
【０００４】
【特許文献１】特開２００９−１４５９３５号公報
【発明の概要】
【発明が解決しようとする課題】
【０００５】
しかしながら、上記の従来技術では、十分な広告効果を得られない場合があった。すなわち、ユーザは、端末装置に表示された地図上の広告を必ずしも閲覧するとは限らなかった。したがって、例えば、地図上における広告の配信が事業の収益や知名度の向上等に繋がらない場合が多かった。
【０００６】
本発明の一実施形態は、上記の点に鑑みてなされたものであり、地図上における効果的な広告配信を提供することを目的とする。
【課題を解決するための手段】
【０００７】
上記目的を達成するため、本発明の一実施形態は、地図を表示する地図表示システムであって、ユーザの現在地から所定の範囲内に存在する所定の施設の広告情報を取得する取得手段と、前記取得手段により取得された広告情報に基づく広告を配信するための表示部品を、前記現在地を含む地図上に表示する表示手段と、前記表示手段により表示された表示部品がユーザにより選択されると、該ユーザに所定の得点を付与する付与手段と、を有する。
【発明の効果】
【０００８】
本発明の一実施形態によれば、地図上における効果的な広告配信を提供することができる。
【図面の簡単な説明】
【０００９】
【図１】第一の実施形態に係る地図表示システムの一例のシステム構成を示す図である。
【図２】地図表示画面を説明する図である。
【図３】第一の実施形態に係るクライアント端末及びサーバ装置の一例のハードウェア構成を示す図である。
【図４】第一の実施形態に係る地図表示システムの一例の機能構成を示す図である。
【図５】第一の実施形態に係るユーザ情報の一例を示す図である。
【図６】第一の実施形態に係る広告情報の一例を示す図である。
【図７】第一の実施形態に係る地図表示処理の一例のシーケンス図である。
【図８】地図表示画面及び広告表示画面を示す図である。
【図９】第一の実施形態に係る広告表示処理の一例のシーケンス図である。
【図１０】第二の実施形態に係る地図表示システムの一例の機能構成を示す図である。
【図１１】第二の実施形態に係るユーザ情報の一例を示す図である。
【図１２】第二の実施形態に係る広告情報の一例を示す図である。
【図１３】第二の実施形態に係る地図表示処理の一例のシーケンス図である。
【発明を実施するための形態】
【００１０】
以下、本発明の実施形態について図面を参照しながら説明する。
【００１１】
［第一の実施形態］
＜システム構成＞
まず、本実施形態に係る地図表示システム１のシステム構成について、図１を参照しながら説明する。図１は、第一の実施形態に係る地図表示システムの一例のシステム構成を示す図である。
【００１２】
図１に示す地図表示システム１は、クライアント端末１０と、サーバ装置２０とを有し、インターネットや電話回線網等の広域的なネットワークＮを介して通信可能に接続されている。
【００１３】
クライアント端末１０は、ユーザが利用するスマートフォン、携帯電話、タブレット端末、ゲーム機器、ウェアラブル端末等の各種の情報処理装置である。クライアント端末１０には、地図（電子地図）を表示するための地図アプリケーション１００が搭載（インストール）されている。
【００１４】
クライアント端末１０のユーザは、地図アプリケーション１００を用いて、当該ユーザの現在地周辺の地図を表示することで、自身の周辺にある各種施設（例えば、コンビニやスーパー、百貨店、観光名所等）の情報や目的の施設までの経路等を知ることができる。
【００１５】
サーバ装置２０は、クライアント端末１０に表示させる地図に関する情報（地図情報）や当該地図上の各種施設を示す注記やアイコンの情報等を管理する情報処理装置である。なお、以降では、地図上の各種施設を示す注記を「施設注記」、地図情報の各種施設を示すアイコンを「施設アイコン」と表す。
【００１６】
また、サーバ装置２０は、クライアント端末１０のユーザに関する情報（ユーザ情報）や地図上に表示させる広告に関する情報（広告情報）を管理する。
【００１７】
サーバ装置２０には、地図情報や施設注記、施設アイコン、ユーザ情報、広告情報等を管理するためのサーバプログラム２００が搭載（インストール）されている。サーバ装置２０は、サーバプログラム２００により、例えば、クライアント端末１０のユーザの現在地に応じた地図情報や施設注記、施設アイコン、広告情報を取得することができる。
【００１８】
ここで、本実施形態に係る地図表示システム１において、クライアント端末１０に表示される地図表示画面について、図２を参照しながら説明する。図２は、地図表示画面を説明する図である。
【００１９】
図２に示す地図表示画面１０００は、クライアント端末１０のユーザの現在地の周辺の地図が表示された画面である。図２に示す地図表示画面１０００には、当該ユーザの現在地を示す現在地アイコン１１００と、施設アイコン１１０１〜１１０６、１１０８と、施設注記１１０７と、施設の広告を表示することでポイントが付与されることを示すコインアイコン１２０１とが含まれる。
【００２０】
なお、ポイントは、ユーザ毎に付与される得点（又は数値、評点等）である。ユーザは、所定のポイント（例えば、１０００ポイント）を貯めることで、各種の特典（例えば、クーポンや商品券の発行、割引、グッズの配布等）を受けることができるものとする。
【００２１】
ここで、ユーザがコインアイコン１２０１を選択（タップ等）すると、当該コインアイコン１２０１が示す施設の広告が表示等されると共に、当該ユーザにポイントが付与される。
【００２２】
このように、本実施形態に係る地図表示システム１では、地図上に表示されたコインアイコン（ポイントが付与されることを示すアイコン）をユーザが選択することで、当該コインアイコンが示す施設の広告が表示されると共に、当該ユーザにポイントが付与される。これにより、本実施形態に係る地図表示システム１では、積極的にユーザに広告を表示させることができる。換言すれば、本実施形態に係る地図表示システム１では、ポイント付与というインセンティブをユーザに与えることで、積極的に地図上の施設の広告を表示させることができる。
【００２３】
したがって、本実施形態に係る地図表示システム１では、クライアント端末１０のユーザに対して、効果的に広告を配信（表示）させることができる。
【００２４】
＜ハードウェア構成＞
次に、本実施形態に係る地図表示システム１に含まれるクライアント端末１０及びサーバ装置２０のハードウェア構成について、図３を参照しながら説明する。図３は、第一の実施形態に係るクライアント端末及びサーバ装置の一例のハードウェア構成を示す図である。
【００２５】
図３（ａ）に示すクライアント端末１０は、ＣＰＵ（Central Processing Unit）１１と、ＲＯＭ（Read Only Memory）１２と、ＲＡＭ（Random Access Memory）１３と、記憶装置１４とを有する。また、クライアント端末１０は、入力装置１５と、表示装置１６と、通信装置１７と、ＧＰＳ（Global Positioning System）受信機１８とを有する。
【００２６】
ＣＰＵ１１は、各種プログラムの実行や演算処理を行う。ＲＯＭ１２は、起動時に必要なプログラム等が記憶されている。ＲＡＭ１３は、ＣＰＵ１１での処理を一時的に記憶したり、データを記憶したりする作業エリアである。記憶装置１４は、各種データやプログラム（例えば、地図アプリケーション１００）等を記憶する。
【００２７】
入力装置１５は、例えばタッチパネル等であり、ユーザの各種操作を受け付ける。表示装置１６は、ディスプレイ等であり、クライアント端末１０の処理結果を表示する。通信装置１７は、ネットワークＮを介してサーバ装置２０と通信を行う。
【００２８】
ＧＰＳ受信機１８は、ＧＰＳから所定の電波を受信して、クライアント端末１０のユーザの現在地（すなわち、当該クライアント端末１０の現在地）を示す緯度及び経度の測定を行う。
【００２９】
本実施形態に係るクライアント端末１０は、上記のハードウェア構成を有することにより、後述する各所処理を実現できる。
【００３０】
図３（ｂ）に示すサーバ装置２０は、ＣＰＵ２１と、ＲＯＭ２２と、ＲＡＭ２３と、記憶装置２４と、入力装置２５と、表示装置２６と、通信装置２７とを有する。
【００３１】
ＣＰＵ２１は、各種プログラムの実行や演算処理を行う。ＲＯＭ２２は、起動時に必要なプログラム等が記憶されている。ＲＡＭ２３は、ＣＰＵ２１での処理を一時的に記憶したり、データを記憶したりする作業エリアである。記憶装置２４は、各種データやプログラム（例えば、サーバプログラム２００）等を記憶する。
【００３２】
入力装置２５は、例えばキーボードやマウス等であり、各種操作を受け付ける。表示装置２６は、ディスプレイ等であり、サーバ装置２０の処理結果を表示する。なお、入力装置２５及び表示装置２６の少なくとも一方は、必要なときにサーバ装置２０に接続して利用する形態であっても良い。通信装置２７は、ネットワークＮを介してクライアント端末１０と通信を行う。
【００３３】
本実施形態に係るサーバ装置２０は、上記のハードウェア構成を有することにより、後述する各種処理を実現できる。
【００３４】
＜機能構成＞
次に、本実施形態に係る地図表示システム１の機能構成について、図４を参照しながら説明する。図４は、第一の実施形態に係る地図表示システムの一例の機能構成を示す図である。
【００３５】
図４に示すクライアント端末１０は、入力受付部１０１と、表示制御部１０２と、現在地取得部１０３と、通信部１０４とを有する。これら各機能部は、クライアント端末１０にインストールされた地図アプリケーション１００が、ＣＰＵ１１に実行させる処理により実現される。
【００３６】
また、クライアント端末１０は、一時記憶部１０５を有する。当該記憶部は、例えば記憶装置１４を用いて実現可能である。
【００３７】
入力受付部１０１は、ユーザからの各種操作を受け付ける。例えば、入力受付部１０１は、地図を表示させるための表示操作を受け付ける。また、例えば、入力受付部１０１は、地図上に表示されたコインアイコンの選択操作を受け付ける。
【００３８】
表示制御部１０２は、各種の情報を表示する。例えば、表示制御部１０２は、クライアント端末１０のユーザの現在地の周辺の地図、当該地図上の現在地アイコン、施設注記、施設アイコン、コインアイコン等を表示装置１６に表示する。
【００３９】
なお、表示制御部１０２は、地図や当該地図上の現在地アイコン、施設注記、施設アイコン、コインアイコン等を、例えば、複数のレイヤーにそれぞれ描画して、重畳させることにより表示する。
【００４０】
現在地取得部１０３は、地図を表示させるための表示操作を入力受付部１０１が受け付けたことに応じて、ユーザの現在地（すなわち、クライアント端末１０のＧＰＳ受信機１８により測定された緯度及び経度）を取得する。
【００４１】
通信部１０４は、サーバ装置２０に対して各種要求を送信すると共に、当該要求に対する応答を受信する。例えば、通信部１０４は、現在地取得部１０３によりユーザの現在地が取得されると、サーバ装置２０に対して、当該現在地を含む地図の表示要求を送信する。また、例えば、通信部１０４は、当該表示要求に対する表示応答を受信する。
【００４２】
なお、表示応答には、例えば、表示制御部１０２により表示される地図の地図情報や当該地図上の施設注記、施設アイコンが含まれる。また、表示応答には、例えば、コインアイコンが選択された際に表示される広告内容や当該広告内容の広告を配信する施設の位置（すなわち、地図上においてコインアイコンが表示される位置）等を含む広告情報等が含まれる。
【００４３】
また、例えば、通信部１０４は、入力受付部１０１によりコインアイコンの選択操作が受け付けられると、サーバ装置２０に対して、当該選択操作を行ったユーザにポイントを付与するためのポイントの更新要求を送信する。
【００４４】
一時記憶部１０５は、表示応答に含まれる地図情報や施設注記、施設アイコン、広告情報等を記憶する。したがって、上述した表示制御部１０２は、一時記憶部１０５に記憶されている地図情報や施設注記、施設アイコン、広告情報等に基づいて、表示装置１６に地図や地図上の施設注記、施設アイコン、コインアイコン等を表示する。なお、一時記憶部１０５には、現在地アイコンやコインアイコン等が予め記憶されていても良い。
【００４５】
ここで、地図情報は、例えば、緑地や河川、道路、鉄道、都道府県等の表示対象の種類毎に分類され、緯度及び経度等が既知のメッシュ状に区切られた情報で管理されている。そして、表示対象の種類毎に分類された地図情報は、縮尺に応じて、当該種類毎に予め定められたレイヤーに、メッシュ毎に描画されることで表示される。したがって、クライアント端末１０に表示される地図は、表示対象の種類毎に分類された地図情報がそれぞれ描画されたメッシュ状のレイヤーを、１つ以上結合して重畳することにより表示される。
【００４６】
図４に示すサーバ装置２０は、地図処理部２０１と、広告処理部２０２と、ポイント更新部２０３と、通信部２０４とを有する。これら各機能部は、サーバ装置２０にインストールされたサーバプログラム２００が、ＣＰＵ２１に実行させる処理により実現される。
【００４７】
また、サーバ装置２０は、ユーザ情報記憶部２０５と、広告情報記憶部２０６と、地図・アイコン記憶部２０７とを有する。これら各記憶部は、例えば記憶装置２４を用いて実現可能である。なお、ユーザ情報記憶部２０５、広告情報記憶部２０６、地図・アイコン記憶部２０７の少なくとも１つの記憶部は、サーバ装置２０とネットワークを介して接続される記憶装置等を用いて実現されていても良い。
【００４８】
地図処理部２０１は、クライアント端末１０から受信した地図の表示要求に含まれる現在地に基づいて、地図情報、施設注記、及び施設アイコンを地図・アイコン記憶部２０７から取得する。すなわち、地図処理部２０１は、当該表示要求に含まれる現在地の周辺の地図（例えば、拡縮に応じて、当該現在地を含む所定の範囲の地図）の地図情報と、当該地図上に存在する施設の施設注記及び施設アイコンとを取得する。
【００４９】
広告処理部２０２は、クライアント端末１０から受信した地図の表示要求に含まれる現在地に基づいて、広告情報を広告情報記憶部２０６から取得する。すなわち、広告処理部２０２は、当該表示要求に含まれる現在地から所定の範囲内にある所定の施設（広告を配信する施設）の広告情報を広告情報記憶部２０６から取得する。
【００５０】
ポイント更新部２０３は、クライアント端末１０から受信したポイントの更新要求に含まれるユーザＩＤに基づいて、ユーザ情報記憶部２０５に記憶されているユーザのポイントを更新する。なお、ユーザＩＤとは、クライアント端末１０のユーザを一意に識別する識別情報であり、例えば、任意の英数字の組み合わせ、電話番号、電子メールアドレス、当該クライアント端末１０の製造固有番号等が用いられる。
【００５１】
通信部２０４は、クライアント端末１０から各種要求を受信すると共に、当該要求に対する応答を送信する。例えば、通信部２０４は、クライアント端末１０から地図の表示要求を受信すると共に、当該表示要求に対する表示応答を送信する。
【００５２】
ユーザ情報記憶部２０５は、ユーザ情報を記憶する。ここで、ユーザ情報記憶部２０５に記憶されているユーザ情報について、図５を参照しながら説明する。図５は、第一の実施形態に係るユーザ情報の一例を示す図である。
【００５３】
図５に示すように、ユーザ情報は、データ項目として、「ユーザＩＤ」と、「ポイント」とを有する。「ユーザＩＤ」は、クライアント端末１０のユーザを一意に識別する識別情報である。「ポイント」は、ユーザに付与されたポイントである。すなわち、ユーザ情報は、ユーザ毎に、当該ユーザのポイントが管理された情報である。
【００５４】
広告情報記憶部２０６は、広告情報を記憶する。ここで、広告情報記憶部２０６に記憶されている広告情報について、図６を参照しながら説明する。図６は、第一の実施形態に係る広告情報の一例を示す図である。
【００５５】
図６に示すように、広告情報は、データ項目として、「広告ＩＤ」と、「施設位置」と、「広告内容」とを有する。「広告ＩＤ」は、広告情報を一意に識別する識別情報である。「施設位置」は、広告を配信する施設の位置情報（例えば、緯度及び経度）である。「広告内容」は、配信される広告内容である。
【００５６】
これにより、「施設位置」に示される位置にコインアイコンが表示されると共に、当該コインアイコンが選択された場合には、「広告内容」で示される広告内容がユーザに表示（配信）される。
【００５７】
地図・アイコン記憶部２０７は、クライアント端末１０に地図を表示させるための地図情報、地図上に表示される施設注記、施設アイコンを記憶する。なお、地図・アイコン記憶部２０７には、地図上に表示される現在地アイコンやコインアイコン等が記憶されていても良い。
【００５８】
＜処理の詳細＞
次に、本実施形態に係る地図表示システム１の処理の詳細について説明する。まず、クライアント端末１０のユーザが、自身の現在地周辺の地図を、当該クライアント端末１０の表示装置１６に表示させる処理について、図７を参照しながら説明する。図７は、第一の実施形態に係る地図表示処理の一例のシーケンス図である。
【００５９】
まず、クライアント端末１０の入力受付部１０１は、地図を表示させるための表示操作（地図の表示操作）を受け付ける（ステップＳ７０１）。これは、例えば、ユーザがクライアント端末１０を操作して、地図アプリケーション１００を起動させることにより行うことができる。
【００６０】
次に、クライアント端末１０の現在地取得部１０３は、入力受付部１０１により地図の表示操作を受け付けると、ユーザの現在地（すなわち、クライアント端末１０のＧＰＳ受信機１８により測定された緯度及び経度）を取得する（ステップＳ７０２）。なお、現在地は、例えば、Ｗｉ−Ｆｉ等の無線ＬＡＮの受信強度に基づき測定されても良い。
【００６１】
クライアント端末１０の通信部１０４は、現在地取得部１０３により現在地が取得されると、地図の表示要求をサーバ装置２０に送信する（ステップＳ７０３）。なお、当該表示要求には、現在地取得部１０３により取得されたユーザの現在地が含まれる。
【００６２】
サーバ装置２０の広告処理部２０２は、地図の表示要求を受信すると、当該表示要求に含まれる現在地に基づいて、広告情報を広告情報記憶部２０６から取得する（ステップＳ７０４）。すなわち、広告処理部２０２は、広告情報記憶部２０６に記憶されている広告情報のうち、当該広告情報に含まれる「施設位置」により示される位置情報が、当該表示要求に含まれる現在地から所定の範囲内である広告情報を取得する。
【００６３】
このように、サーバ装置２０の広告処理部２０２は、ユーザの現在地から所定の範囲（例えば、８００ｍ乃至１０００ｍ）内にある所定の施設（広告を配信する施設）の広告情報を広告情報記憶部２０６から取得する。
【００６４】
次に、サーバ装置２０の地図処理部２０１は、地図の表示要求に含まれる現在地に基づいて、地図情報、施設注記、及び施設アイコンを地図・アイコン記憶部２０７から取得する（ステップＳ７０５）。すなわち、地図処理部２０１は、地図の表示要求に含まれる現在地の周辺の地図（例えば、表示される地図の拡縮に応じて、当該現在地を含む所定の範囲の地図）の地図情報と、当該地図上に存在する施設の施設注記及び施設アイコンとを取得する。
【００６５】
次に、サーバ装置２０の通信部２０４は、地図の表示応答をクライアント端末１０に送信する（ステップＳ７０６）。なお、当該表示応答には、地図処理部２０１により取得された地図情報、施設注記、及び施設アイコンと、広告処理部２０２により取得された広告情報とが含まれる。
【００６６】
クライアント端末１０の表示制御部１０２は、通信部１０４により地図の表示応答を受信すると、当該表示応答に含まれる地図情報、施設注記、施設アイコン、及び広告情報を一時記憶部１０５に記憶させる（ステップＳ７０７）。
【００６７】
次に、クライアント端末１０の表示制御部１０２は、一時記憶部１０５に記憶されている地図情報、施設注記、施設アイコン、及び広告情報に基づいて、地図を表示する（ステップＳ７０８）。
【００６８】
すなわち、表示制御部１０２は、まず、一時記憶部１０５から地図情報、施設注記、施設アイコン、及び広告情報を取得する。次に、表示制御部１０２は、当該地図情報に基づく地図上に、コインアイコンと、施設注記、施設アイコン、ユーザの現在地を示す現在地アイコンとを重畳して表示させる。このとき、表示制御部１０２は、当該広告情報に含まれる「施設位置」により示される位置にコインアイコンを表示させる。
【００６９】
なお、表示制御部１０２は、コインアイコンと、施設注記及び施設アイコンの少なくとの一方とが重なる（同一の位置に表示される）場合には、例えば、コインアイコンを優先して表示させれば良い。また、現在地アイコンは、サーバ装置２０の地図・アイコン記憶部２０７から取得された上で、地図の表示応答に含めてクライアント端末１０に送信されても良いし、クライアント端末１０の記憶領域（例えば、一時記憶部１０５）に予め記憶されていても良い。
【００７０】
以上により、クライアント端末１０の表示装置１６には、表示制御部１０２により、例えば図８（ａ）に示す地図表示画面２０００が表示される。
【００７１】
図８（ａ）に示す地図表示画面２０００には、クライアント端末１０のユーザの現在地の周辺の地図が表示された画面であり、現在地アイコン２１００と、施設アイコン２１０１〜２１０６、２１０８と、施設注記２１０７と、コインアイコン２２０１とが表示されている。なお、図８（ａ）に示す地図表示画面２０００では、一のコインアイコンが表示されている例を示しているが、複数のコインアイコンが表示されていても良い。
【００７２】
これにより、ユーザは、図８（ａ）に示す地図表示画面２０００においてコインアイコン２２０１を選択（タップ等）することで、ポイントが付与されることを知ることができる。したがって、後述するように、コインアイコン２２０１の選択に応じて表示される広告を当該ユーザに配信することができる。
【００７３】
次に、図８（ａ）に示す地図表示画面２０００において、ユーザがコインアイコン２２０１を選択した場合の処理について、図９を参照しながら説明する。図９は、第一の実施形態に係る広告表示処理の一例のシーケンス図である。
【００７４】
まず、クライアント端末１０の入力受付部１０１は、図８（ａ）に示す地図表示画面２０００におけるコインアイコン２２０１の選択操作を受け付ける（ステップＳ９０１）。これは、例えば、図８（ａ）に示す地図表示画面２０００におけるコインアイコン２２０１をユーザがタップやクリック等することにより行うことができる。
【００７５】
クライアント端末１０の表示制御部１０２は、入力受付部１０１によりコインアイコン２２０１の選択操作を受け付けると、当該選択されたコインアイコン２２０１の広告内容を表示装置１６に表示する（ステップＳ９０２）。すなわち、表示制御部１０２は、例えば図８（ｂ）に示す広告表示画面３０００を表示装置１６に表示する。図８（ｂ）に示す広告表示画面３０００には、ユーザにより選択されたコインアイコン２２０１に対応する広告情報に含まれる広告内容３１００が表示されている。
【００７６】
このように、ユーザによりコインアイコンが選択されると、当該コインアイコンが示す位置（すなわち、「施設位置」）に存在する施設の広告内容（すなわち、広告情報において、当該「施設位置」に対応する「広告内容」）がクライアント端末１０に表示される。これにより、本実施形態に係る地図表示システム１では、地図上において、コインアイコンが示す位置に存在する施設の広告をユーザに配信することができる。
【００７７】
なお、図８（ｂ）に示す広告表示画面３０００において、閉じるボタン３１０１をユーザが選択することで、広告内容３１００を閉じることができる。閉じるボタン３１０１により広告内容３１００が閉じられることで、表示制御部１０２により、例えば、コインアイコン２２０１が所定の時間の間（例えば、２４時間の間）、地図上に表示されないようにしても良い。このように、１度選択され、広告が表示されたコインアイコンは、所定の時間の間、表示されないようにすることで、同じ広告が短期間に複数回表示されることを防止できる。
【００７８】
また、閉じるボタン３１０１により広告内容３１００が閉じられることで、表示制御部１０２により、例えば、コインアイコン２２０１とは異なるコインアイコンが地図上に表示されるようにしても良い。
【００７９】
なお、図８（ｂ）に示す広告表示画面３０００において表示される広告内容３１００は、静止画に限られず、動画であっても良い。また、広告内容は、例えば、音楽や音声等であっても良い。
【００８０】
クライアント端末１０の通信部１０４は、表示制御部１０２により広告内容が表示されると、ポイントの更新要求をサーバ装置２０に送信する（ステップＳ９０３）。なお、当該更新要求には、クライアント端末１０のユーザのユーザＩＤが含まれる。
【００８１】
サーバ装置２０のポイント更新部２０３は、ポイントの更新要求を受信すると、当該更新要求に含まれるユーザＩＤに基づいて、当該ユーザＩＤに対応するユーザ情報の「ポイント」を更新する（ステップＳ９０４）。すなわち、ポイント更新部２０３は、当該ユーザＩＤのユーザ情報に含まれる「ポイント」の値に所定の値を加算する。
【００８２】
ここで、所定の値は、例えば、すべてのユーザＩＤ及びすべての施設（広告を配信する施設）に対して一律に決められた値であっても良いし、ユーザＩＤ毎又は施設毎に決められた値であっても良い。また、所定の値は、例えば、月や日、曜日、時間、ユーザの現在地から施設（広告を配信する施設）までの距離等に応じて決められても良い。
【００８３】
そして、サーバ装置２０の通信部２０４は、ポイントの更新応答をクライアント端末１０に送信する（ステップＳ９０５）。これにより、クライアント端末１０のユーザは、ポイントが付与されたことを知ることができる。
【００８４】
以上のように、本実施形態に係る地図表示システム１では、ユーザの現在地に応じて、当該現在地から所定の範囲内に存在する施設の広告を表示するためのコインアイコンを地図上に表示する。そして、本実施形態に係る地図表示システム１では、ユーザがコインアイコンを選択すると、当該ユーザにポイントが付与されると共に、当該コインアイコンにより示される施設の広告が表示される。
【００８５】
これにより、本実施形態に係る地図表示システム１では、ユーザが積極的に広告を表示するため、広告を配信する施設（事業者等）にとって効果的な広告配信を提供することができる。また、本実施形態に係る地図表示システム１では、地図上にコインアイコンが表示されることにより、当該コインアイコンにより示される施設にユーザが容易に訪れることができる。このため、本実施形態に係る地図表示システム１では、広告を配信する施設（事業者等）とって、収益に直結した、効果的な広告配信を行うことができる。
【００８６】
なお、ユーザのポイントは、地図上のコインアイコンを選択して広告が表示された場合の他、例えば、地図アプリケーション１００が起動された場合に付与されても良い。これにより、ユーザに対して、積極的に地図アプリケーション１００を起動させることができるようになる。
【００８７】
［第二の実施形態］
次に、第二の実施形態について説明する。第二の実施形態では、ユーザの属性（例えば、性別や年齢、職業等）に応じた広告内容を表示するものである。なお、第二の実施形態の説明では、第一の実施形態との相違点について説明し、第一の実施形態と実質的に同様の機能構成を有する箇所及び実質的に同様の処理を実行する箇所には第一の実施形態の説明で用いた符号と同様の符号を付与し、適宜、説明を省略する。
【００８８】
＜機能構成＞
まず、第二の実施形態に係る地図表示システム１の機能構成について、図１０を参照しながら説明する。図１０は、第二の実施形態に係る地図表示システムの一例の機能構成を示す図である。
【００８９】
図１０に示すサーバ装置２０は、広告処理部２０２Ａを有する。また、サーバ装置２０は、ユーザ情報記憶部２０５Ａと、広告情報記憶部２０６Ａとを有する。
【００９０】
広告処理部２０２Ａは、クライアント端末１０から受信した地図の表示要求に含まれる現在地と、ユーザＩＤとに基づいて、当該ユーザＩＤのユーザの属性に応じた広告情報を広告情報記憶部２０６Ａから取得する。すなわち、広告処理部２０２は、当該現在地から所定の範囲内にある所定の施設（広告を配信する施設）の広告情報であって、当該ユーザの属性に応じた広告情報を広告情報記憶部２０６Ａから取得する。
【００９１】
ユーザ情報記憶部２０５Ａは、ユーザ情報を記憶する。ここで、ユーザ情報記憶部２０５Ａに記憶されているユーザ情報について、図１１を参照しながら説明する。図１１は、第二の実施形態に係るユーザ情報の一例を示す図である。
【００９２】
図１１に示すように、第二の実施形態に係るユーザ情報は、データ項目として、さらに、「ユーザ属性」を有する。「ユーザ属性」は、ユーザの「性別」、「年齢」、「趣味」、「職業」、「年収」等のユーザの性質を示す各種の情報の集合である。すなわち、第二の実施形態に係る広告情報は、ユーザ毎に、当該ユーザのポイントと、当該ユーザの属性とが管理された情報である。
【００９３】
広告情報記憶部２０６Ａは、広告情報を記憶する。ここで、広告情報記憶部２０６Ａに記憶されている広告情報について、図１２を参照しながら説明する。図１２は、第二の実施形態に係る広告情報の一例を示す図である。
【００９４】
図１２に示すように、第二の実施形態に係る広告情報は、データ項目として、さらに、「施設属性」を有する。「施設属性」は、広告を配信する施設の業態を示す「施設種類」、当該施設で販売等する商品の価格帯を示す「価格帯」、当該施設が販売等する商品の想定購入者層を示す「年齢層」等の施設を示す各種の情報の集合である。
【００９５】
＜処理の詳細＞
次に、本実施形態に係る地図表示システム１の処理の詳細について説明する。以降では、クライアント端末１０のユーザが、自身の現在地周辺の地図を、当該クライアント端末１０の表示装置１６に表示させる処理について、図１３を参照しながら説明する。図１３は、第二の実施形態に係る地図表示処理の一例のシーケンス図である。なお、図１３に示す地図表示処理におけるステップＳ７０１及びステップＳ７０２、ステップＳ７０５〜ステップＳ７０８の処理は、第一の実施形態と同様であるため、その説明を省略する。
【００９６】
クライアント端末１０の通信部１０４は、現在地取得部１０３により現在地が取得されると、地図の表示要求をサーバ装置２０に送信する（ステップＳ１３０１）。なお、当該表示要求には、現在地取得部１０３により取得されたユーザの現在地と、当該ユーザのユーザＩＤとが含まれる。
【００９７】
サーバ装置２０の広告処理部２０２Ａは、地図の表示要求を受信すると、当該表示要求に含まれる現在地と、ユーザＩＤとに基づいて、当該ユーザＩＤのユーザの属性に応じた広告情報を広告情報記憶部２０６Ａから取得する（ステップＳ１３０２）。
【００９８】
すなわち、広告処理部２０２Ａは、まず、当該ユーザＩＤのユーザ情報をユーザ情報記憶部２０５Ａから取得する。次に、広告処理部２０２Ａは、「施設位置」により示される位置情報が現在地から所定の範囲内である広告情報であって、当該ユーザ情報に含まれる「ユーザ属性」に応じた広告情報を広告情報記憶部２０６Ａから取得する。
【００９９】
ここで、「ユーザ属性」に応じた広告情報とは、例えば、「ユーザ属性」に含まれる「年齢」と、広告情報の「施設属性」に含まれる「年齢層」とが合致する広告情報のことである。換言すれば、当該「年齢」の値が、広告を配信する施設の「年齢層」の値に含まれる広告情報のことである。同様に、例えば、「ユーザ属性」に含まれる「年収」と、広告情報の「施設属性」に含まれる「価格帯」とが合致する広告情報等であっても良い。
【０１００】
このように、サーバ装置２０の広告処理部２０２Ａは、ユーザの現在地から所定の範囲内にある所定の施設（広告を配信する施設）であって、ユーザの属性に応じた施設の広告情報を広告情報記憶部２０６Ａから取得する。これにより、本実施形態に係る地図表示システム１では、ユーザの属性に応じて、より効果的な広告配信を行うことができるようになる。
【０１０１】
＜まとめ＞
以上のように、第一の実施形態に係る地図表示システム１では、ユーザの現在地に応じて、当該現在地から所定の範囲内に存在する施設の広告を表示するためのアイコンを地図上に表示する。そして、第一の実施形態に係る地図表示システム１では、ユーザが当該アイコンを選択すると、当該ユーザにポイントが付与されると共に、当該アイコンにより示される施設の広告が表示される。
【０１０２】
これにより、第一の実施形態に係る地図表示システム１では、ユーザが積極的に広告を表示するため、広告を配信する施設（事業者等）にとって効果的な広告配信を提供することができる。
【０１０３】
また、第二の実施形態に係る地図表示システム１では、ユーザの現在地に加えて、ユーザの属性（例えば、性別や年齢、職業等）に応じて、広告を表示するためのアイコンを地図上に表示する。これにより、第二の実施形態に係る地図表示システム１では、広告を配信する施設（事業者等）にとって、より効果的な広告配信を提供することができる。
【０１０４】
なお、第一の実施形態及び第二の実施形態では、施設の広告を表示することでポイントが付与されることを示すアイコンには、コインをデザイン化したアイコンが用いられているが、当該アイコンのデザインはコインに限られるものではない。当該アイコンは、施設注記や施設アイコンが所定の表示態様（例えば、施設注記や施設アイコンを輝かせる、点滅させる、金縁にする、回転させる、立体化させる等）で表示されたものであっても良い。また、コインアイコンと、広告が表示される施設の施設注記や施設アイコンとを交互に切り替えて表示しても良い。
【０１０５】
このように、施設の広告を表示することでポイントが付与されることを示すアイコンには、ポイント等の所定のインセンティブがユーザに付与されることを地図上で可視化して、当該インセンティブが付与されることをユーザが認識可能な表示態様であれば任意の表示態様を採用することができる。さらに、例えば、地図を表示している画面上、コインアイコンの表示ボタンを設けて、当該表示ボタンが押下された場合に、当該地図上にコインアイコンを表示するようにしても良い。
【０１０６】
本発明は、具体的に開示された上記の各実施形態に限定されるものではなく、特許請求の範囲から逸脱することなく、種々の変形や変更が可能である。
【符号の説明】
【０１０７】
１        地図表示システム
１０      クライアント端末
２０      サーバ装置
１００    地図アプリケーション
１０１    入力受付部
１０２    表示制御部
１０３    現在地取得部
１０４    通信部
１０５    一時記憶部
２００    サーバプログラム
２０１    地図処理部
２０２    広告処理部
２０３    ポイント更新部
２０４    通信部
２０５    ユーザ情報記憶部
２０６    広告情報記憶部
２０７    地図・アイコン記憶部
Ｎ        ネットワーク
【図１】
2017173493.tif 000003
【図２】
2017173493.tif 000004
【図３】
2017173493.tif 000005
【図４】
2017173493.tif 000006
【図５】
2017173493.tif 000007
【図６】
2017173493.tif 000008
【図７】
2017173493.tif 000009
【図８】
2017173493.tif 000010
【図９】
2017173493.tif 000011
【図１０】
2017173493.tif 000012
【図１１】
2017173493.tif 000013
【図１２】
2017173493.tif 000014
【図１３】
2017173493.tif 000015